(57)【要約】      （修正有）【課題】外力に引かれても、分離しにくく、使用寿命に悪影響を与えない嵌めて結合した隠れ式樹脂マッドの構造を提供する。【解決手段】樹脂基材と、樹脂粘着シートとから構成され、前記樹脂基材は、その上面に樹脂粘着シートが粘着してあり、四つの周側には透かし部３１と突出部３２ａとが連続に形成してあり、前記樹脂粘着シートは、各周側が直線エッジであり、そのコナー部が樹脂基材のコナー部に合わせてあり、二つの隣接する周側が樹脂基材の突出部の外縁に合わせてあり、残りの二つの周側が樹脂基材の透かし部の底縁３１１に合わせる隠れ式樹脂マッドの構造において、前記樹脂粘着シートの樹脂基材の透かし部をカバーする部分が突出面であり、前記突出面に脱着自在用のり４８が塗布してあり、透かし部に突出部を組み込んだと、前記突出面が突出部の上面と粘着して結合することを特徴とする隠れ式樹脂マッドの構造。【選択図】図３
0003119040.tif 000002
【実用新案登録請求の範囲】
【請求項１】
樹脂基材と、樹脂粘着シートとから構成され、前記樹脂基材は、その上面に樹脂粘着シートが粘着してあり、四つの周側には透かし部と突出部とが連続に形成してあり、前記樹脂粘着シートは、各周側が直線エッジであり、そのコナー部が樹脂基材のコナー部に合わせてあり、二つの隣接する周側が樹脂基材の突出部の外縁に合わせてあり、残りの二つの周側が樹脂基材の透かし部の底縁に合わせる隠れ式樹脂マッドの構造において、
前記樹脂粘着シートの樹脂基材の透かし部をカバーする部分が突出面であり、前記突出面に脱着自在用のりが塗布してあり、透かし部に突出部を組み込んだと、前記突出面が突出部の上面と粘着して結合することを特徴とする、隠れ式樹脂マッドの構造。
【考案の詳細な説明】
【技術分野】
【０００１】
本考案は隠れ式樹脂マッドの構造に関するものである。
【背景技術】
【０００２】
図１を参照する。図１は従来の隠れ式樹脂マッドの構造を示す斜視図である。これは、樹脂基材１０と樹脂粘着シート２０とを含み、前記樹脂基材１０の上面に樹脂粘着シート２０が粘着してあり、なお、前記樹脂粘着シート２０の周側は全て直線エッジ２１であり、前記樹脂基材１０の四つの周側に透かし部１１と突出部１２とが連続に形成してあり、前記樹脂粘着シート２０は、二つの隣接する周側２２，２３が樹脂基材１０の周側１３，１４に合わせてあり、残りの二つの周側２４，２５が樹脂基材１０の周側１５，１６の透かし部１１の底縁１１１に合わせてあり、なお、そのコナー部２６が樹脂基材１０のコナー部１７に合わせてある。
【０００３】
従来の隠れ式樹脂マッドの組合方法は、突出部１２を透かし部１１に嵌め込むだけであり、そうすると、樹脂粘着シート２０の外側に露出した透かし部１１と突出部１２とは他の樹脂マッドの樹脂粘着シート２０にカバーされた突出部１２ａと透かし部１１ａとに相互に嵌め込み、だから、そのような樹脂マッドを前後左右に多数に嵌めて結合すると、樹脂マッドを大面積に敷くことができる。
【考案の開示】
【考案が解決しようとする課題】
【０００４】
図１と図２を参照する。従来の隠れ式樹脂マッドは、樹脂粘着シート２０の外側に露出した透かし部１１と突出部１２とが他の樹脂マッドの樹脂粘着シート２０にカバーされた突出部１２ａと透かし部１１ａとに相互に嵌め込んで結合するが、外力に引かれると、嵌めて結合した隠れ式樹脂マッドは分離しやすいであり、更に隠れ式樹脂マッドの使用寿命に悪影響を与える恐れがあった。
【課題を解決するための手段】
【０００５】
上記欠点を解決するためになされた本願の考案は、樹脂基材と、樹脂粘着シートとから構成され、前記樹脂基材は、その上面に樹脂粘着シートが粘着してあり、四つの周側には透かし部と突出部とが連続に形成してあり、前記樹脂粘着シートは、各周側が直線エッジであり、そのコナー部が樹脂基材のコナー部に合わせてあり、二つの隣接する周側が樹脂基材の突出部の外縁に合わせてあり、残りの二つの周側が樹脂基材の透かし部の底縁に合わせる隠れ式樹脂マッドの構造において、前記樹脂粘着シートの樹脂基材の透かし部をカバーする部分が突出面であり、前記突出面に脱着自在用のりが塗布してあり、透かし部に突出部を組み込んだと、前記突出面が突出部の上面と粘着して結合することを特徴とする隠れ式樹脂マッドの構造であることを要旨としている。
【考案の効果】
【０００６】
本考案に係る隠れ式樹脂マッドの構造によれば、外力に引かれても、嵌めて結合した隠れ式樹脂マッドは分離し難く、且つ隠れ式樹脂マッドの使用寿命に悪影響を与える恐れがなくなる。
【考案を実施するための最良の形態】
【０００７】
以下、添付図面を参照して本考案の好適な実施の形態を詳細に説明する。
【０００８】
図３に示すのは本考案に係る隠れ式樹脂マッドの構造の斜視図である。本考案に係る隠れ式樹脂マッドの構造は、樹脂基材３０と、樹脂粘着シート４０とから構成され、前記樹脂基材３０は、その上面に樹脂粘着シート４０が粘着してあり、四つの周側には透かし部３１と突出部３２とが連続に形成してあり、前記樹脂粘着シート４０は、各周側が直線エッジ４１であり、二つの隣接する周側４２，４３が樹脂基材３０の突出部３２の外縁に合わせてあり、残りの二つの周側４４，４５が樹脂基材３０の透かし部３１の底縁３１１に合わせてあり、そのコナー部４６が樹脂基材３０のコナー部３７に合わせてある。
【０００９】
本考案の隠れ式樹脂マッドの組合方法は、透かし部３１を突出部３２ａに、突出部３２を透かし部３１ａに嵌め込むだけであり、そうすると、樹脂粘着シート４０の外側に露出した透かし部３１と突出部３２とは他の樹脂マッドの樹脂粘着シート４０にカバーされた突出部３２ａと透かし部３１ａとに相互に嵌め込み、だから、そのような樹脂マッドを前後左右に多数に嵌めて結合すると、樹脂マッドを大面積に敷くことができる。
【００１０】
また、図３乃至図５を参照する。図３は本考案の隠れ式樹脂マッドの斜視図であり、図４は本考案の隠れ式樹脂マッドが外力を受けても安定に結合することを示す上面図であり、図５は本考案の隠れ式樹脂マッドが外力を受けても安定に結合することを示す拡大断面図である。本考案の隠れ式樹脂マッドは、樹脂基材３０に樹脂粘着シート４０を先に結合して、複数の樹脂マッドの透かし部と突出部とを嵌めて結合し、なお、前記樹脂粘着シート４０の樹脂基材３０の透かし部３１ａをカバーする部分が突出面４７であり、本考案に係る樹脂マッドを相互に嵌めて結合する際に、前記突出面４７が他の樹脂マッドの突出部３２の表面３２１に接触し、前記突出面４７に脱着自在用のりを塗布して、透かし部３１を突出部３２ａに、突出部３２を透かし部３１ａに嵌め込むと、透かし部に突出部を組み込んだと、前記突出面４７が突出部３２の上面と粘着して結合する。
【図面の簡単な説明】
【００１１】
【図１】従来の隠れ式樹脂マッドの斜視図である。
【図２】従来の隠れ式樹脂マッドが外力を受けて分離したことを示す上面図である。
【図３】本考案の隠れ式樹脂マッドの斜視図である。
【図４】本考案の隠れ式樹脂マッドが外力を受けても安定に結合することを示す上面図である。
【図５】本考案の隠れ式樹脂マッドが外力を受けても安定に結合することを示す拡大断面図である。
【符号の説明】
【００１２】
（従来の部分）
１０      樹脂基材                  １１      透かし部
１１１    底縁                      １１ａ    透かし部
１２      突出部                    １２ａ    突出部
１３      周側                      １４      周側
１５      周側                      １６      周側
１７      コナー部                  ２０      樹脂粘着シート
２１      直線エッジ                ２２      周側
２３      周側                      ２４      周側
２５      周側                      ２６      コナー部
（本考案の部分）
３０      樹脂基材                  ３１      透かし部
３１ａ    透かし部                  ３１１    底縁
３２      突出部                    ３２ａ    突出部
３２１    表面                      ３３      周側
３４      周側                      ３５      周側
３６      周側                      ３７      コナー部
４０      樹脂粘着シート            ４１      直線エッジ
４２      周側                      ４３      周側
４４      周側                      ４５      周側
４６      コナー部                  ４７      突出面
４８      脱着自在用のり
【図１】
0003119040.tif 000003
【図２】
0003119040.tif 000004
【図３】
0003119040.tif 000005
【図４】
0003119040.tif 000006
【図５】
0003119040.tif 000007
【手続補正書】
【提出日】平成17年11月11日(2005.11.11)
【手続補正１】
【補正対象書類名】実用新案登録請求の範囲
【補正対象項目名】全文
【補正方法】変更
【補正の内容】
【実用新案登録請求の範囲】
【請求項１】
樹脂基材と、樹脂粘着シートとから構成され、前記樹脂基材は、その上面に樹脂粘着シートが粘着してあり、四つの周側には透かし部と突出部とが連続に形成してあり、前記樹脂粘着シートは、各周側が直線エッジであり、そのコナー部が樹脂基材のコナー部に合わせてあり、二つの隣接する周側が樹脂基材の突出部の外縁に合わせてあり、残りの二つの周側が樹脂基材の透かし部の底縁に合わせる隠れ式樹脂マットの構造において、前記樹脂粘着シートの樹脂基材の透かし部をカバーする部分が突出面であり、前記突出面に脱着自在用のりが塗布してあり、透かし部に突出部を組み込んだと、前記突出面が突出部の上面と粘着して結合することを特徴とする、隠れ式樹脂マットの構造。
【手続補正２】
【補正対象書類名】明細書
【補正対象項目名】全文
【補正方法】変更
【補正の内容】
【考案の詳細な説明】
【技術分野】
【０００１】本考案は隠れ式樹脂マットの構造に関するものである。
【背景技術】
【０００２】図１を参照する。図１は従来の隠れ式樹脂マットの構造を示す斜視図である。これは、樹脂基材１０と樹脂粘着シート２０とを含み、前記樹脂基材１０の上面に樹脂粘着シート２０が粘着してあり、なお、前記樹脂粘着シート２０の周側は全て直線エッジ２１であり、前記樹脂基材１０の四つの周側に透かし部１１と突出部１２とが連続に形成してあり、前記樹脂粘着シート２０は、二つの隣接する周側２２，２３が樹脂基材１０の周側１３，１４に合わせてあり、残りの二つの周側２４，２５が樹脂基材１０の周側１５，１６の透かし部１１の底縁１１１に合わせてあり、なお、そのコナー部２６が樹脂基材１０のコナー部１７に合わせてある。【０００３】従来の隠れ式樹脂マットの組合方法は、突出部１２を透かし部１１に嵌め込むだけであり、そうすると、樹脂粘着シート２０の外側に露出した透かし部１１と突出部１２とは他の樹脂マットの樹脂粘着シート２０にカバーされた突出部１２ａと透かし部１１ａとに相互に嵌め込み、だから、そのような樹脂マットを前後左右に多数に嵌めて結合すると、樹脂マットを大面積に敷くことができる。
【考案の開示】
【考案が解決しようとする課題】
【０００４】図１と図２を参照する。従来の隠れ式樹脂マットは、樹脂粘着シート２０の外側に露出した透かし部１１と突出部１２とが他の樹脂マットの樹脂粘着シート２０にカバーされた突出部１２ａと透かし部１１ａとに相互に嵌め込んで結合するが、外力に引かれると、嵌めて結合した隠れ式樹脂マットは分離しやすいであり、更に隠れ式樹脂マットの使用寿命に悪影響を与える恐れがあった。
【課題を解決するための手段】
【０００５】上記欠点を解決するためになされた本願の考案は、樹脂基材と、樹脂粘着シートとから構成され、前記樹脂基材は、その上面に樹脂粘着シートが粘着してあり、四つの周側には透かし部と突出部とが連続に形成してあり、前記樹脂粘着シートは、各周側が直線エッジであり、そのコナー部が樹脂基材のコナー部に合わせてあり、二つの隣接する周側が樹脂基材の突出部の外縁に合わせてあり、残りの二つの周側が樹脂基材の透かし部の底縁に合わせる隠れ式樹脂マットの構造において、前記樹脂粘着シートの樹脂基材の透かし部をカバーする部分が突出面であり、前記突出面に脱着自在用のりが塗布してあり、透かし部に突出部を組み込んだと、前記突出面が突出部の上面と粘着して結合することを特徴とする隠れ式樹脂マットの構造であることを要旨としている。
【考案の効果】
【０００６】本考案に係る隠れ式樹脂マットの構造によれば、外力に引かれても、嵌めて結合した隠れ式樹脂マットは分離し難く、且つ隠れ式樹脂マットの使用寿命に悪影響を与える恐れがなくなる。
【考案を実施するための最良の形態】
【０００７】以下、添付図面を参照して本考案の好適な実施の形態を詳細に説明する。【０００８】図３に示すのは本考案に係る隠れ式樹脂マットの構造の斜視図である。本考案に係る隠れ式樹脂マットの構造は、樹脂基材３０と、樹脂粘着シート４０とから構成され、前記樹脂基材３０は、その上面に樹脂粘着シート４０が粘着してあり、四つの周側には透かし部３１と突出部３２とが連続に形成してあり、前記樹脂粘着シート４０は、各周側が直線エッジ４１であり、二つの隣接する周側４２，４３が樹脂基材３０の突出部３２の外縁に合わせてあり、残りの二つの周側４４，４５が樹脂基材３０の透かし部３１の底縁３１１に合わせてあり、そのコナー部４６が樹脂基材３０のコナー部３７に合わせてある。【０００９】本考案の隠れ式樹脂マットの組合方法は、透かし部３１を突出部３２ａに、突出部３２を透かし部３１ａに嵌め込むだけであり、そうすると、樹脂粘着シート４０の外側に露出した透かし部３１と突出部３２とは他の樹脂マットの樹脂粘着シート４０にカバーされた突出部３２ａと透かし部３１ａとに相互に嵌め込み、だから、そのような樹脂マットを前後左右に多数に嵌めて結合すると、樹脂マットを大面積に敷くことができる。【００１０】また、図３乃至図５を参照する。図３は本考案の隠れ式樹脂マットの斜視図であり、図４は本考案の隠れ式樹脂マットが外力を受けても安定に結合することを示す上面図であり、図５は本考案の隠れ式樹脂マットが外力を受けても安定に結合することを示す拡大断面図である。本考案の隠れ式樹脂マットは、樹脂基材３０に樹脂粘着シート４０を先に結合して、複数の樹脂マットの透かし部と突出部とを嵌めて結合し、なお、前記樹脂粘着シート４０の樹脂基材３０の透かし部３１ａをカバーする部分が突出面４７であり、本考案に係る樹脂マットを相互に嵌めて結合する際に、前記突出面４７が他の樹脂マットの突出部３２の表面３２１に接触し、前記突出面４７に脱着自在用のりを塗布して、透かし部３１を突出部３２ａに、突出部３２を透かし部３１ａに嵌め込むと、透かし部に突出部を組み込んだと、前記突出面４７が突出部３２の上面と粘着して結合する。
【図面の簡単な説明】
【００１１】
【図１】従来の隠れ式樹脂マットの斜視図である。
【図２】従来の隠れ式樹脂マットが外力を受けて分離したことを示す上面図である。
【図３】本考案の隠れ式樹脂マットの斜視図である。
【図４】本考案の隠れ式樹脂マットが外力を受けても安定に結合することを示す上面図である。
【図５】本考案の隠れ式樹脂マットが外力を受けても安定に結合することを示す拡大断面図である。
【符号の説明】
【００１２】（従来の部分）１０      樹脂基材                  １１      透かし部１１１    底縁                      １１ａ    透かし部１２      突出部                    １２ａ    突出部１３      周側                      １４      周側１５      周側                      １６      周側１７      コナー部                  ２０      樹脂粘着シート２１      直線エッジ                ２２      周側２３      周側                      ２４      周側２５      周側                      ２６      コナー部（本考案の部分）３０      樹脂基材                  ３１      透かし部３１ａ    透かし部                  ３１１    底縁３２      突出部                    ３２ａ    突出部３２１    表面                      ３３      周側３４      周側                      ３５      周側３６      周側                      ３７      コナー部４０      樹脂粘着シート            ４１      直線エッジ４２      周側                      ４３      周側４４      周側                      ４５      周側４６      コナー部                  ４７      突出面４８      脱着自在用のり